(57)【特許請求の範囲】
【請求項１】
特定入賞口への入賞により音声出力手段を駆動させ、音声出力手段から出力された旋律音程が特定の旋律音程に一致した場合に、可変入賞口を一定期間開成させ、入賞の容易な特別状態を発生させるようにしたパチンコ機であって、
前記特定の旋律音程が記録されるとともに、前記音声出力手段から出力された旋律音程を演算処理手段を介して記録する音声記録手段と、
前記演算処理手段は、前記音声出力手段から出力される旋律音程と特定の旋律音程とを逐次比較して、両方の音程が一致する際には、音程一致信号を画像表示手段と前記音源回路とに出力して、音程一致表示状態を維持するとともに、演奏を続行し、前記音声出力手段から出力される旋律音程と特定の旋律音程とが最終的に一致した場合には、可変入賞口の駆動回路に特別状態発生信号を出力し、一方、両方の前記音程が途中で一致しなくなる場合には、指揮者表示欄を音程ずれ表示状態に切り換えるとともに、演奏を中止すべく、音程ずれ信号を前記画像表示手段と前記音源回路とに出力し、
前記特定入賞口への入賞に応じて稼動され前記特定の旋律音程が表示された後に前記音声出力手段から出力された旋律音程が逐次表示されるとともに当該音声出力手段から出力された旋律音程が当該特定の旋律音程上に逐次重ねて表示して当該音声出力手段から出力された旋律音程と当該特定の旋律音程とが一致したか否かを視認可能にする図柄表示欄を有する画像表示手段と、
を備えて成ることを特徴とするパチンコ機。
【発明の詳細な説明】
【０００１】
【産業上の利用分野】
本発明は、特定入賞口への入賞により音声出力手段を駆動させ、音声出力手段から出力された音声が特定の音声と一致した場合に、可変入賞口を一定期間開成させ、入賞の容易な特別状態を発生させるようにしたパチンコ機に関する。
【０００２】
【従来の技術】
従来のパチンコ機としては、例えば、その盤面に画像表示手段が設けられ、画像表示手段の表示図柄が特定の組み合わせになり、可変入賞装置が作動して通常より相対的に高い確率で入賞が行なえる特別状態が発生するようにしたいわゆるフィーバー機が存在している。
そして、画像表示手段が３つの表示図柄をそれぞれ回転表示するなどして、遊技者の興趣を高める配慮がなされている。
【０００３】
【発明が解決しようとする課題】
しかしながら、このような従来のパチンコ機では、各パチンコ機において、特別状態になるまでの過程が大きく異なることがなく、ほぼ同じであり、例えば、新たに、別種のパチンコ機に代えて遊技しても、新たな興趣を呼び起こすことがなく、遊技性が高まらないという問題点があった。
本発明は、このような従来の問題点に着目してなされたもので、特別状態になるまでの過程を目新しくすることにより、遊技者の興趣を呼び起こし、遊技性が高く、また迫力および面白みに富んだパチンコ機を提供することを目的としている。
【０００４】
【課題を解決するための手段】
かかる目的を達成するための本発明の要旨とするところは、
特定入賞口（１５）への入賞により音声出力手段（１７）を駆動させ、音声出力手段（１７）から出力された旋律（１７ａ）音程が特定の旋律（３４ａ）音程に一致した場合に、可変入賞口（１４）を一定期間開成させ、入賞の容易な特別状態を発生させるようにしたパチンコ機（１０）であって、
前記特定の旋律（３４ａ）音程が記録されるとともに、前記音声出力手段（１７）から出力された旋律（１７ａ）音程を演算処理手段（５０）を介して記録する音声記録手段（３４）と、
前記演算処理手段（５０）は、前記音声出力手段（１７）から出力される旋律（１７ａ）音程と特定の旋律（３４ａ）音程とを逐次比較して、両方の音程が一致する際には、音程一致信号を画像表示手段（１８）と前記音源回路とに出力して、音程一致表示状態を維持するとともに、演奏を続行し、前記音声出力手段（１７）から出力される旋律（１７ａ）音程と特定の旋律（３４ａ）音程とが最終的に一致した場合には、可変入賞口（１４）の駆動回路に特別状態発生信号（５０ａ）を出力し、一方、両方の前記音程が途中で一致しなくなる場合には、指揮者表示欄（１９ａ）を音程ずれ表示状態に切り換えるとともに、演奏を中止すべく、音程ずれ信号を前記画像表示手段（１８）と前記音源回路とに出力し、
前記特定入賞口（１５）への入賞に応じて稼動され前記特定の旋律（３４ａ）音程が表示された後に前記音声出力手段（１７）から出力された旋律（１７ａ）音程が逐次表示されるとともに前記音声出力手段（１７）から出力された旋律（１７ａ）音程が当該特定の旋律（３４ａ）音程上に逐次重ねて表示して前記音声出力手段（１７）から出力された旋律（１７ａ）音程と当該特定の旋律（３４ａ）音程とが一致したか否かを視認可能にする図柄表示欄（１８ａ，１８ｂ）を有する画像表示手段（１８）と、
を備えて成ることを特徴とするパチンコ機（１０）に存する。
【０００５】
【作用】
本発明におけるパチンコ機（１０）は、特定入賞口（１５）への入賞により音声出力手段（１７）を駆動させ、音声出力手段（１７）から出力された旋律（１７ａ）が特定の旋律（３４ａ）に一致した場合に、可変入賞口（１４）を一定期間開成させ、入賞の容易な特別状態を発生させることができる。
【０００６】
特定入賞口（１５）へ入賞すると、音声出力手段（１７）から音声が出力される。
【０００７】
音声記録手段（３４）は、前記特定の旋律（３４ａ）が記録されるとともに、前記音声出力手段（１７）から出力された旋律（１７ａ）を演算処理手段（５０）を介して記録することができる。
【０００８】
演算処理手段（５０）は、前記特定入賞口（１５）に入賞に応じて稼動して前記特定の旋律（３４ａ）と前記音声出力手段（１７）から出力された旋律（１７ａ）とを比較するとともに、両方の旋律（１７ａ，３４ａ）が一致する場合に前記可変入賞口（１４）の駆動回路に特別状態発生信号（５０ａ）を出力することができる。
【０００９】
画像表示手段（１８）は、前記特定入賞口（１５）へ入賞に応じて、稼動され前記特定の旋律（３４ａ）を図柄表示欄（１９）に表示させた後に、前記音声出力手段（１７）から出力された旋律（１７ａ）を図柄表示欄（１９）に逐次表示させることができる。
【００１０】
これにより、遊技者は、特定入賞口（１５）に入賞すると、音声出力手段（１７）から出力される音声により、特別状態になるか否かを聞き取るとともに、画像表示手段（１８）の図柄表示欄（１９）上において音符で確認することができる。つまり、遊技者は、視認し易く、かつ、判断し易い音符へ大きな興趣を向けることができ、パチンコ遊技をしながらいわば音符合せゲームを十分に楽しむことができる。
【００１１】
さらに画像表示手段（１８）は、当該音声出力手段（１７）から出力された旋律（１７ａ）が当該特定の旋律（３４ａ）上に逐次重ねて表示させ、当該音声出力手段（１７）から出力された旋律（１７ａ）と当該特定の旋律（３４ａ）とが一致したか否かを図柄表示欄（１９）上において視認可能にすることができる。
【００１２】
以上説明したように本発明によれば、特別状態になるまでの過程を目新しくして遊技者の興趣を呼び起こすことができるようになったので、遊技性が高く、また迫力および面白みに富んだパチンコ機（１０）を実現できる。
【００１３】
【実施例】
以下、図面に基づき本発明の一実施例を説明する。図１は本発明の一実施例を示すパチンコ機１０の機能ブロック図であり、図２は本発明の一実施例を示すパチンコ機１０の要部正面図であり、図３は本発明の一実施例における画像表示手段１８の正面図である。
【００１４】
本実施例のパチンコ機１０は、特定入賞口１５への入賞により音声出力手段１７を駆動させ、音声出力手段１７から出力された旋律１７ａが特定の旋律３４ａに一致した場合に、可変入賞口１４を一定期間開成させ、入賞の容易な特別状態を発生させるようにしたものであって、制御手段１３、可変入賞口１４、特定入賞口１５、音声出力手段１７、画像表示手段１８、図柄表示欄１９、指揮者表示欄１９ａ、五線紙表示欄１９ｂ、稼動回数設定手段２０、主記録手段３０、権利保留手段３２、音声記録手段３４、権利実行手段４０、演算処理手段５０、権利無効手段６０、保留表示手段７０、等を装置して成る。
【００１５】
音声記録手段３４は、特定の旋律３４ａが記録されるとともに、音声出力手段１７から出力された旋律１７ａを記録可能なように、演算処理手段５０に接続されて成る。
【００１６】
演算処理手段５０は、特定入賞口１５に入賞に応じて稼動して特定の旋律３４ａと音声出力手段１７から出力された旋律１７ａとを比較するとともに、両方の旋律１７ａ，３４ａが一致する場合に可変入賞口１４の駆動回路に特別状態発生信号５０ａを出力可能なように、音声記録手段３４、制御手段１３に接続されて成る。
【００１７】
画像表示手段１８は、特定入賞口１５へ入賞に応じて稼動され特定の旋律３４ａを図柄表示欄１９に表示させた後に、音声出力手段１７から出力された旋律１７ａを図柄表示欄１９に逐次表示させるとともに、音声出力手段１７から出力された旋律１７ａが特定の旋律３４ａ上に逐次重ねて表示して音声出力手段１７から出力された旋律１７ａと特定の旋律３４ａとが一致したか否かを視認可能なように、制御手段１３、権利実行手段４０に接続されて成る。
【００１８】
更に詳しく本実施例の構成について説明する。
図２および図３に示すように、本実施例にかかるパチンコ機１０は、その盤面１２に特定入賞口１５が開設され、特定入賞口１５の上方には画像表示手段１８が設けられている。
【００１９】
パチンコ機１０には、特定入賞口１５に入賞すると旋律１７ａを出力するスピーカである音声出力手段１７が設けられている。
【００２０】
音声出力手段１７から出力される旋律１７ａは、音声記録手段３４である主記録手段３０に記録されている音情報に基づいて作成される。
【００２１】
音声出力手段１７に装置された主記録手段３０は、特定の旋律３４ａ（例えば、ベートーベン作曲、交響曲「運命」の出だしから１１個までの音符から成る著名な旋律）を記録するものである。
【００２２】
音声出力手段１７に装置された音源回路（図示せず）は、後述の制御手段１３からの制御信号１３ｄにより、特定の旋律３４ａに基づく特定旋律音程と、特定旋律音程から外れた非特定旋律音程とのどちらの音程を出力すべきか一定の確率の下で算出し、算出された音程情報に基づく音源を図示省略したアンプを介して音声出力手段１７に出力するものである。
【００２３】
画像表示手段１８は、上下に指揮者表示欄１９ａと五線紙表示欄１９ｂとが配されて成る。
【００２４】
五線紙表示欄１９ｂは、特定の旋律３４ａを点線で表現するものである。指揮者表示欄１９ａは、音声出力手段１７から出力される音程が特定旋律音程である場合に、旋律１７ａに合わせて指揮者がタクトを振って指揮する音程一致表示状態と、音声出力手段１７から出力される音程が非特定旋律音程である場合に、指揮者がずっこける仕草を行う音程ずれ表示状態とに切り換えて表示するものである。
【００２５】
五線紙表示欄１９ｂは、音声出力手段１７に装置された音源回路（図示せず）から出力される音源に関する音符を、点線で表現された特定の旋律３４ａの音符の上に重ねて実線で表示するものである。
【００２６】
後述の演算処理手段５０は、音源回路から出力される音源に関する音符と、特定の旋律３４ａの音符とを逐次比較して、両方の音符が一致する際には、音程一致信号を画像表示手段１８と音源回路とに出力して、音程一致表示状態を維持するとともに、演奏を続行していき、音声出力手段１７から出力される旋律１７ａと特定の旋律３４ａとが最終的に一致した場合には、可変入賞口１４の駆動回路に特別状態発生信号５０ａを出力し、一方、両方の音符が途中で一致しなくなる場合には、指揮者表示欄１９ａを音程ずれ表示状態に切り換えるとともに、演奏を中止すべく、音程ずれ信号を画像表示手段１８と音源回路とに出力するものである。
【００２７】
特別状態においては、可変入賞口１４は、ラウンド回数分だけ開閉動作を繰り返し、入賞の容易な状態に成るよう構成されている。
【００２８】
稼動回数設定手段２０は、特定入賞口１５に入賞した場合に、該入賞した玉の玉数の情報１５ａに対応して画像表示手段１８の数字表示欄１９ｂの稼働回数を権利保留手段３２である主記憶手段３０に書き込むもので、制御手段１３が行っているが、専用の制御手段を設けても良い。
【００２９】
主記録手段３０に書き込まれる稼動回数は、最大保留数が「４」であり、稼働回数の数値は、比較器である権利実行手段４０で最大保留数「４」と比較され、最大保留数「４」より大きい数値であると、権利無効手段６０から制御信号６０ａが主記録手段３０に出力される数値であり、「５」以上の数値は書き込み不能に構成されている。本実施例においては、最大保留数は「４」としたが、これに限らず、「４」より大きくても「４」より小さくてもよい。
【００３０】
画像表示手段１８の上方には保留表示手段７０が設けられている。保留表示手段７０は４つのランプを有し、主記録手段３０に書き込まれた稼働回数を保留表示手段７０のランプの点灯した数のよって表示するものである。
【００３１】
権利実行手段４０は比較器であり、主記録手段３０に書き込まれた稼働回数が「１」以上であれば、権利実行手段４０は画像表示手段１８に制御信号４０ａを出力して、画像表示手段１８が可変表示するものである。
【００３２】
また、制御手段１３は、権利実行手段４０が画像表示手段１８に制御信号４０ａを出力すると、演算処理手段５０に制御信号１３ｂを出力するもので、それにより、演算処理手段５０は主記録手段３０に書き込まれた稼働回数から「１」を減算し、かつ、保留表示手段７０は、稼働回数制御信号１３ｅを制御手段１３から貰って、その点灯ランプを１つ滅灯するものである。
【００３３】
さらに制御手段１３は、画像表示手段１８が可変表示していき、主記録手段３０に書き込まれた稼働回数が減算されていき、主記録手段３０に書き込まれた未稼働回数が「０」になると、権利実行手段４０から画像表示手段１８への制御信号４０ａの出力停止を促すものである。
【００３４】
次に作用を説明する。
本実施例におけるパチンコ機１０は、特定入賞口１５への入賞により音声出力手段１７を駆動させ、音声出力手段１７から出力された旋律１７ａが特定の旋律３４ａに一致した場合に、可変入賞口１４を一定期間開成させ、入賞の容易な特別状態を発生させることができる。
【００３５】
特定入賞口１５へ入賞すると、音声出力手段１７から音声が出力される。
【００３６】
音声記録手段３４は、特定の旋律３４ａが記録されるとともに、音声出力手段１７から出力された旋律１７ａを記録することができる。
【００３７】
演算処理手段５０は、特定入賞口１５に入賞に応じて稼動して特定の旋律３４ａと音声出力手段１７から出力された旋律１７ａとを比較するとともに、両方の旋律１７ａ，３４ａが一致する場合に可変入賞口１４の駆動回路に特別状態発生信号５０ａを出力することができる。
【００３８】
画像表示手段１８は、特定入賞口１５へ入賞に応じて、稼動され特定の旋律３４ａを図柄表示欄１９に表示させた後に、音声出力手段１７から出力された旋律１７ａを図柄表示欄１９に逐次表示させることができる。
【００３９】
これにより、遊技者は、特定入賞口１５に入賞すると、音声出力手段１７から出力される音声により、特別状態になるか否かを聞き取るとともに、画像表示手段１８の図柄表示欄１９上において音符で確認することができる。つまり、遊技者は、視認し易く、かつ、判断し易い音符へ大きな興趣を向けることができ、パチンコ遊技をしながらいわば音符合せゲームを十分に楽しむことができる。
【００４０】
さらに画像表示手段１８は、音声出力手段１７から出力された旋律１７ａが特定の旋律３４ａ上に逐次重ねて表示させ、音声出力手段１７から出力された旋律１７ａと特定の旋律３４ａとが一致したか否かを図柄表示欄１９上において視認可能にすることができる。
【００４１】
以上説明したように本実施例によれば、特別状態になるまでの過程を目新しくして遊技者の興趣を呼び起こすことができるようになったので、遊技性が高く、また迫力および面白みに富んだパチンコ機１０を実現できる。
【００４２】
更に詳しく本実施例の作用について説明する。図４は本発明の一実施例を示すパチンコ機１０のフローチャートである。
【００４３】
特定入賞口１５いわゆるチャッカーに入賞すると（ステップＳ１）、画像表示手段１８が稼働中か否かを判断する（ステップＳ２）。
【００４４】
画像表示手段１８が稼働中でないと判断されると（ステップＳ２のＹＥＳ）、制御手段１３が音源回路（図示せず）に出力し（ステップＳ３）、音源回路は、特定旋律音程と非特定旋律音程とのどちらの音程を出力すべきか一定の確率の下で算出し（ステップＳ３）、算出された音程情報に基づく音源を図示省略したアンプを介して音声出力手段１７に出力し（ステップＳ３）、音声出力手段１７からその音程情報による旋律１７ａが出力される（ステップＳ３）。
【００４５】
また、制御手段１３が画像表示手段１８に制御信号１３ｃを出力し、画像表示手段１８が駆動される（ステップＳ４）。画像表示手段１８は、特定入賞口１５へ入賞に応じて稼動され特定の旋律３４ａを図柄表示欄１９に表示させた後に、音声出力手段１７から出力された旋律１７ａを図柄表示欄１９に逐次表示させるとともに、音声出力手段１７から出力された旋律１７ａが特定の旋律３４ａ上に逐次重ねて表示して音声出力手段１７から出力された旋律１７ａと特定の旋律３４ａとが一致したか否かを視認可能とする（ステップＳ３）。
【００４６】
これにより、遊技者は、特定入賞口１５に入賞すると、音声出力手段１７から出力される音声により、特別状態になるか否かを聞き取るとともに、画像表示手段１８の図柄表示欄１９上において音符で確認することができる。つまり、遊技者は、視認し易く、かつ、判断し易い音符へ大きな興趣を向けることができ、パチンコ遊技をしながらいわば音符合せゲームを十分に楽しむことができる。
【００４７】
画像表示手段１８が稼働中であると判断されると（ステップＳ２のＮＯ）、権利実行手段４０が主記録手段３０に書き込まれた未稼働回数が「４」より大きいか否を判断する（ステップＳ９）。図示省略した入賞玉センサは逐次制御手段１３に入賞信号を出力し、入賞信号が出力されると、演算処理手段５０が、入賞した玉の数に対応する新たな未稼働回数例えば「２」と元の未稼働回数例えば「２」とを加算し、加算された未稼働回数「４」が主記録手段３０に書き込まれる。また、保留表示手段７０のランプが４つ点灯する（ステップＳ９）。
【００４８】
未稼働回数が「４」より大きい場合（ステップＳ９のＹＥＳ）、権利無効手段６０は、制御手段１３からの制御信号１３ｆにより、未稼働回数の最大数値「４」を主記録手段３０に書き込み、「５」以上の未稼働回数に相当する権利が廃棄される（ステップＳ１０）。
【００４９】
一方、未稼働回数が「４」以下である場合（ステップＳ９のＮＯ）、主記録手段３０に書き込まれた未稼働回数分の権利が保留される（ステップＳ１１）。
【００５０】
特定入賞口１５に玉が入賞していると、演算処理手段５０が、入賞した玉の数に対応する新たな未稼働回数例えば「２」と元の未稼働回数例えば「２」とを加算し、加算された未稼働回数「４」が主記録手段３０に書き込まれる。また、保留表示手段７０のランプが４つ点灯する。（ステップＳ１１）
権利が保留されると（ステップＳ１１）、演算処理手段５０が実行されていない権利が保留されているか否かを判断し（ステップＳ８）、権利が保留されていれば（ステップＳ８のＹＥＳ）、ステップ２に戻り、再び画像表示手段１８が稼働中か否かが判断される（ステップＳ２）。
【００５１】
音声出力手段１７から旋律１７ａが出力されると（ステップＳ３）、演算処理手段５０が、音源回路から出力される音源に関する音符と、特定の旋律３４ａの音符とを逐次比較して、両方の音符が一致する際には（ステップＳ５のＹＥＳ）、音程一致信号を画像表示手段１８と音源回路とに出力して、音程一致表示状態を維持するとともに、演奏を続行していき、音声出力手段１７から出力される旋律１７ａと特定の旋律３４ａとが最終的に一致した場合には、可変入賞口１４の駆動回路に特別状態発生信号５０ａを出力し、特別状態になり（ステップＳ６）、可変入賞口１４がラウンド回数分だけ開閉動作を繰り返し、入賞の容易な状態に成る（ステップＳ６）。
【００５２】
これにより、遊技者は、特定入賞口１５に入賞すると、画像表示手段１８の図柄表示欄１９上において音符で確認することができる。つまり、遊技者は、視認し易く、かつ、判断し易い音符へ大きな興趣を向けることができ、パチンコ遊技をしながらいわば音符合せゲームを十分に楽しむことができる。
【００５３】
一方、両方の音符が一致しない場合には（ステップＳ５のＮＯ）、演算処理手段５０が音程ずれ信号を画像表示手段１８と音源回路とに出力し、ステップ７において、指揮者表示欄１９ａが音程ずれ表示状態に切り換わるとともに、五線紙表示欄１９ｂの点線で示した音符からずれて実線の音符が表示され、また、以後の演奏が中止され、一単位のゲームが終了する（ステップＳ７）。
【００５４】
これにより、遊技者は、特定入賞口１５に入賞すると、音声出力手段１７から出力される音声により、特別状態になるか否かを聞き取るとともに、画像表示手段１８の図柄表示欄１９上において音符で確認することができる。つまり、遊技者は、視認し易く、かつ、判断し易い音符へ大きな興趣を向けることができ、パチンコ遊技をしながらいわば音符合せゲームを十分に楽しむことができる。
【００５５】
なお、実施例においては、音声出力手段１７から著名な旋律１７ａが流れるようにしたものを示したが、これに限らず、音情報により特別状態が発生したが否かが判断可能なものであればよい。
【００５６】
実施例によれば、権利無効手段６０を設けたために、短時間で特定入賞口１５に連続的に入賞した際に、主記録手段３０への未稼動回数の無制限の増加を防止することができる。
【００５７】
以上説明したように本実施例によれば、特別状態になるまでの過程を目新しくして遊技者の興趣を呼び起こすことができるようになったので、遊技性が高く、また迫力および面白みに富んだパチンコ機１０を実現できる。
【００５８】
【発明の効果】
本発明にかかるパチンコ機によれば、特定入賞口へ入賞すると、音声出力手段から音声が出力され、演算処理手段が特定の音声と音声出力手段から出力された音声とを比較し、両方の音声が一致する場合に可変入賞口の駆動回路に特別状態発生信号を出力し、可変入賞口を入賞し易く開成させた特別状態にするようにしたので、特別状態になるまでの過程を目新しくして、遊技者の興趣を呼び起こし、遊技性を高めることができる。
【図面の簡単な説明】
【図１】  本発明の一実施例を示すパチンコ機の機能ブロック図である。
【図２】  本発明の一実施例を示すパチンコ機の要部正面図である。
【図３】  本発明の一実施例における画像表示手段の正面図である。
【図４】  本発明の一実施例を示すパチンコ機のフローチャートである。
【符号の説明】
１０…パチンコ機
１２…盤面
１３…制御手段
１４…可変入賞口
１５…特定入賞口
１７…音声出力手段
１７ａ…出力された旋律
１８…画像表示手段
１９…図柄表示欄
１９ａ…指揮者表示欄
１９ｂ…五線紙表示欄
２０…稼動回数設定手段
３０…主記録手段
３２…権利保留手段
３４…音声記録手段
３４ａ…特定の旋律
４０…権利実行手段
５０…演算処理手段
５０ａ…特別状態発生信号
６０…権利無効手段
７０…保留表示手段
【図１】
0003805398.tif 000002
【図２】
0003805398.tif 000003
【図３】
0003805398.tif 000004
【図４】
0003805398.tif 000005